(57)【要約】【課題】ダンピング時のスクラップの閉塞とそれに続く急滑落に起因するダンプトラックの運転者の受傷およびダンプトラックの損壊を確実にかつ安価に防止することにある。【解決手段】スクラップの集積を行う金属精錬炉用スクラップ置場の、ダンプトラック１がダンピングを行うダンピング場２において、所定位置に停止したダンプトラック１の先端部に対応する地上位置に、ダンプトラック１の先端部に設けたフック６と掛合する係留具７を設けたことを特徴とする金属精錬炉用スクラップ置場のダンピング場である。【選択図】図１
2013181237.tif 000002
【特許請求の範囲】
【請求項１】
スクラップの集積を行う金属精錬炉用スクラップ置場の、ダンプトラックがダンピングを行うダンピング場において、
所定位置に停止した前記ダンプトラックの先端部に対応する地上位置に、前記ダンプトラックの先端部に設けたフックと掛合する係留具を設けたことを特徴とする、金属精錬炉用スクラップ置場のダンピング場。
【請求項２】
前記係留具は、前記地上位置に固定される留め金具と、前記留め金具に端部を固定されたスリングと、を有することを特徴とする、請求項１記載の金属精錬炉用スクラップ置場のダンピング場。
【請求項３】
前記係留具は、前記地上位置に固定されるブラケットと、先端部に掛合部を持つとともに基端部を前記ブラケットに揺動可能に支持された腕部材と、を有することを特徴とする、請求項１記載の金属精錬炉用スクラップ置場のダンピング場。
【請求項４】
スクラップの集積を行う金属精錬炉用スクラップ置場のダンピング場において、ダンプトラックによりダンピングを行うに際し、
所定位置に停止した前記ダンプトラックの先端部に設けたフックに、そのダンプトラックの先端部に対応する地上位置に設けた係留具を掛合させて前記ダンピングを行うことを特徴とする、金属精錬炉用スクラップ置場のダンピング場でのダンピング方法。
【請求項５】
前記ダンプトラックに荷台起伏の遠隔操作スイッチを設け、その遠隔操作スイッチを車外で操作して前記ダンピングを行うことを特徴とする、請求項４記載の金属精錬炉用スクラップ置場のダンピング場でのダンピング方法。
【発明の詳細な説明】
【技術分野】
【０００１】
本発明は金属精錬炉用のスクラップ置き場のダンピング場およびそこでのダンピング方法に関するものである。
【背景技術】
【０００２】
日本社会は鉄等の金属の集積が進み、金属のスクラップの発生量が増えている。また循環型社会やＣＯ２削減への社会的要請もあり、金属精練炉へのスクラップ装入比率および絶対量は従来とは比較にならないほど大きくなっている。
【０００３】
ところで、金属精練炉としての転炉に付設したスクラップ置き場では、図３に示すように、ダンプトラック１をダンピング場２に乗り入れ、ダンプトラック１の荷台を傾動させてスクラップＳを荷台から流し落とすことでダンピング（除荷）し、そのスクラップＳをリフティングマグネット３付の天井クレーン４で吸着・搬送してスクラップシュート５内に入れ、あるいは荷台から直接スクラップＳをスクラップシュート５内に流し落とし、その後、そのスクラップシュート５を図示しない別の天井クレーンで図示しない転炉まで移動させて、スクラップシュート５内のスクラップを転炉内に供給する。
【０００４】
このようにしてスクラップを転炉内に供給するため、スクラップ置き場では大量のスクラップを受け入れているが、従来のダンピング方法ではダンプトラック１の運転手が受傷するとともにダンプトラック１が損壊する災害が発生する可能性があった。これは図４（ａ），（ｂ）に示す様なメカニズムによる。
１．剪断した帯状あるいは長方形の厚板スクラップが荷台側面の凹凸や荷台底板の裂け目等に引っ掛かり、あるいはスクラップ同士が絡み合って落ち口を閉塞して、自然なスクラップＳの流れ落ちを阻害し、荷台後端にスクラップＳが滞留する（図４（ａ）参照）。
２．ダンプトラック１の重心位置が、滞留したスクラップＳのために後輪の外になり、その結果、ダンプトラック１の前部が図中矢印で示すように持ち上がる（図４（ａ）参照）。
【０００５】
３．ダンプトラック１の傾斜が急に大きくなり、荷台後端で閉塞しているスクラップＳにその強度以上の荷重が加わる結果、そのスクラップＳは変形し、閉塞は解ける。そして滞常していたスクラップＳは荷台から一気に滑り落ちる（図４（ｂ）参照）。
４．ダンプトラック１は空荷になり、重心は正常位置に戻るが、持ち上がっていたダンプトラック１の前部が図中矢印で示すように地面に落下し（図４（ｂ）参照）、その大きな衝撃により、運転手が身体損傷等を負う可能性があり、また、ダンプトラック１も大きく損壊する可能性がある。
そこで従来から、こうした災害を回避するために、受入れスクラップの寸法、形状に制約を課しているが、上述の如き事故の発生を確実には避けられなかった。
【０００６】
このような積荷の急滑落によるダンプトラックの転倒を防止する装置としては従来、特許文献1記載のダンプ車両の転倒防止装置が知られており、この装置は、各車輪に荷重センサーを設け、得られた荷重分布から積荷排出時の積荷移動によって生じる車体の回転モーメントを算出し、前輪が浮上らないように計算・判定し、転倒の恐れが高いとその旨を運転者に報知するというものである。
【０００７】
また、スクラップ置き場側で災害を回避するものとしては従来、特許文献２記載のスクラップ自動搬送システムが知られており、このシステムは、トラックの荷台を車台から分離可能なパレットにして、スクラップが入ったパレットを専用クレーンで車台から吊上げ、スクラップ置き場まで移送した後に、パレットを傾動させてダンピングするというものである。
【先行技術文献】
【特許文献】
【０００８】
【特許文献１】特開２０１１−１２１４７１０号公報
【特許文献２】特開平６−２６３２５２号公報
【発明の概要】
【発明が解決しようとする課題】
【０００９】
しかしながら前者の装置は、原理的には正しいが、設備が複雑・高価となるという問題があるため、市販のダンプトラックには組み込まれていない。
【００１０】
その一方、後者のシステムは、前述したダンプトラックでの前輪浮上りと同様なトラブルが発生するものの、パレットが車台から分離されていてパレット付近に運転者はいないので人身災害は起こらないが、パレット内のスクラップが急激に排出された場合には、専用クレーンのワイヤーが踊り、乱巻きとなって強度低下をきたし、新しいワイヤーと取り替えなければならず、スクラップ置き場の機能が停止するという問題がある。また、パレット式の専用トラックや専用クレーン等を新規に製作しなければならず、装置が大掛かりで高価となるという問題もある。
【００１１】
それゆえ本発明は、スクラップ置き場のダンピング場でのダンピング中、ダンプトラックの前部が持ち上がった後に落下して地面に激突することによるダンプトラックの運転手の受傷とダンプトラックの損壊とを確実にかつ安価に防止することを目的とする。
【課題を解決するための手段】
【００１２】
上記課題を解決する本発明の金属精錬炉用スクラップ置き場のダンピング場は、スクラップの集積を行う金属精錬炉用スクラップ置場の、ダンプトラックがダンピングを行うダンピング場において、所定位置に停止した前記ダンプトラックの先端部に対応する地上位置に、前記ダンプトラックの先端部に設けたフックと掛合する係留具を設けたことを特徴とするものである。
【００１３】
また、上記課題を解決する本発明の金属精錬炉用スクラップ置場のダンピング場でのダンピング方法は、スクラップの集積を行う金属精錬炉用スクラップ置場のダンピング場において、ダンプトラックによりダンピングを行うに際し、所定位置に停止した前記ダンプトラックの先端部に設けたフックに、そのダンプトラックの先端部に対応する地上位置に設けた係留具を掛合させて前記ダンピングを行うことを特徴とするものである。
【発明の効果】
【００１４】
かかる本発明の金属精錬炉用スクラップ置場のダンピング場およびそこでのダンピング方法によれば、以下の如くしてスクラップのダンピングが行われる。
１．スクラップ置き場のダンピング場には通常、誘導者の代わりと脱輪事故防止のために後輪の車止めがあるので、ダンプトラックの運転手は例えば、まずその車止めにダンプトラックの後輪を当ててダンプトラックの先端部の位置を決める。従って、運用するダンプトラックの車種ごとにダンプトラックの先端部の位置は一定に定まる。なお、ダンプトラックの停止位置を指示する標識等を地上に設けてダンプトラックの先端部の位置決めを行っても良い。
２．ダンプトラックの先端部の下部にフックを設けておくとともに、これと相対する地上位置に、ダンピング時にダンプトラックの前部を係留してその浮上りを防止し得る強度を有する係留具を設置しておく。
【００１５】
３．運転者はダンピングの前に運転席から下りて、この係留具をダンプトラックの先端部の下部のフックに引っ掛ける。この引っ掛けは、手作業で行っても良く、あるいはスプリングやモーター等で係留具を機械的に移動あるいは揺動させて行っても良い。
４．その後、運転者はダンプトラックを操作して荷台を傾動させ、荷台上のスクラップのダンピングを開始する。ダンプトラックの前部が係留具で地上に係留されているため、たとえスクラップが荷台上で閉塞状態となってもダンプトラックの前部が浮上ることはない。なお、スクラップが荷台上で閉塞状態となった場合には、ダンプトラックの操作で荷台を上下に揺すってスクラップに衝撃を与えることでその閉塞を解除することができる。
【００１６】
５．閉塞後の急滑落によるスクラップの排出の際は、係留具によって相当に軽減されているが衝撃を伴う。従って、さらに安全に配慮して、ダンプトラックに荷台起伏の遠隔操作スイッチを設けておき、運転手はダンプトラックから下りてその遠隔操作スイッチを車外で操作し、ダンプトラックの荷台を傾動させてダンピングを行うことが望ましい。
【００１７】
従って、本発明の金属精錬炉用スクラップ置き場のダンピング場およびそこでのダンピング方法によれば、ダンピング時のスクラップの閉塞とそれに続く急滑落に起因するダンプトラックの運転者の受傷およびダンプトラックの損壊を確実にかつ安価に防止することができる。
【図面の簡単な説明】
【００１８】
【図１】（ａ）は、本発明の金属精錬炉用スクラップ置き場のダンピング場の一実施例およびそのダンピング場を用いた本発明の金属精錬炉用スクラップ置き場のダンピング場でのダンピング方法の一実施例を示す説明図、（ｂ）は、その（ａ）中の丸で囲んだＡ部を示す拡大説明図である。
【図２】（ａ）は、本発明の金属精錬炉用スクラップ置き場のダンピング場の他の一実施例およびそのダンピング場を用いた本発明の金属精錬炉用スクラップ置き場のダンピング場でのダンピング方法の他の一実施例を示す説明図、（ｂ）は、その（ａ）中の丸で囲んだＡ部を示す拡大説明図である。
【図３】従来の金属精錬炉用スクラップ置き場の全体構成を示す説明図である。
【図４】（ａ），（ｂ）は、上記従来の金属精錬炉用スクラップ置き場のダンピング場でのスクラップダンピング中の運転手の受傷およびダンプトラックの損壊のメカニズムを示す説明図である。
【発明を実施するための形態】
【００１９】
以下、この発明の実施の形態を実施例により、図面に基づき詳細に説明する。ここに、図１（ａ）は、本発明の金属精錬炉用スクラップ置き場のダンピング場の一実施例およびそのダンピング場を用いた本発明の金属精錬炉用スクラップ置き場のダンピング場でのダンピング方法の一実施例を示す説明図、図１（ｂ）は、その図１（ａ）中の丸で囲んだＡ部を示す拡大説明図である。
【００２０】
この実施例のダンピング場２を持つ金属精錬炉用スクラップ置き場でも、従来のスクラップ置き場と同様、ダンプトラック１をそのダンピング場２に乗り入れ、ダンプトラック１の荷台を傾動させてスクラップＳを荷台から流し落とすことでダンピング（除荷）し、そのスクラップＳをリフティングマグネット３で吸着し、天井クレーン４でリフティングマグネット３ごと吊り上げてスクラップシュート５内に移送し、あるいはダンプトラック１の荷台からスクラップＳをスクラップシュート５内に直接流し落とした後、そのスクラップシュート５を図示しない別の天井クレーンで図示しない転炉まで移動させて、スクラップシュート５内のスクラップを転炉内に供給する。
【００２１】
しかしてこの実施例のダンピング場２では、誘導者の代わりと脱輪事故防止のために設けられている後輪の車止め２ａにダンプトラック１の後輪を当てて所定位置に停止したダンプトラック１の先端部に対応する地上位置に、ダンプトラック１の先端部の下部にあらかじめ設けたフック６と掛合する係留具７を設けている。また、この実施例のダンピング方法では、ダンプトラック１の先端部の下部にあらかじめフック６を設けるとともに、そのフック６に、例えば係留具が出入りする開口部を内側から閉止する位置へ向けて弾性的に付勢される揺動レバーの如き外れ止めを設けておく。
【００２２】
係留具７は軽く、強度があり、ダンプトラック１の多少の位置誤差にも追従できるものであることが好ましいため、この実施例では係留具７は、上記地上位置にアンカーボルト等で固定される留め金具８と、その留め金具８に端部を固定されたナイロン（ポリアミド系合成繊維）製のスリング（吊り帯）９の輪と、を有するものとする。また、ダンピングのため荷台を起こす際は、運転者が車から出て操作すればさらに安全性が高める。このためこの実施例のダンピング方法では、ダンプトラック１を改造して、荷台起伏のための遠隔操作スイッチを設けておき、荷台の起伏を車外から操作できるようにする。
【００２３】
上記実施例のダンピング場２における上記実施例のダンピング方法では、以下の如くしてスクラップＳのダンピングを行う。すなわち、ダンピング場２に入ったダンプトラック１の運転者は、ダンプトラック１を後退させて、後輪が車止め２ａに当った軽いショックを感じると止め、サイドブレーキを引いてから地上に降りる。そして係留具７のスリング９を引き起こし、ダンプトラック１の先端部のフック６に掛ける。フック６には外れ止めが付いているので、係留具７は容易に外れることはない。
【００２４】
次いで運転者は、遠隔操作スイッチを車外で操作して、ダンプトラック１の荷台の前端側を徐々に上げて荷台を傾動させてゆき、ダンピングを始める。通常は荷台が上昇するにつれ、スクラップＳは荷台に滞留することなく、スクラップ置き場あるいはそのスクラップ置場のスクラップシュート５内に落下する。
【００２５】
しかしながらある確率でスクラップＳの荷台への滞留（閉塞状態）が発生する場合があり、スクラップＳの滞留が発生すると、ダンプトラック１の重心が後輪よりも後方になり、ダンプトラック１の前部が持ち上がろうとするが、ダンプトラック１の前部は、係留具７で地上に係留されているため、持ち上がることなく、前輪が少し浮いた程度で止まる。なお、スクラップＳが荷台上で閉塞状態となった場合には、ダンプトラック１の操作で荷台を上下に揺すってスクラップＳに衝撃を与えることで、その閉塞を解除してスクラップＳを滑落させることができる。
【００２６】
閉塞後の急滑落によるスクラップの排出Ｓの際は、係留具７により相当に軽減されるものの衝撃を伴う。上述のように車外操作で荷台を上げるのは、大規模なスクラップ滑落の際に、ダンプトラック１の車輪サスペンション分だけ激しい上下動が超こっても運転者に危害が及ぶことの無いようにという意図からである。
【００２７】
このようにしてダンプトラック１の荷台からのスクラップＳのダンピングが終了したら、運転者は、荷台を下ろし、フック６から係留具７のスリング９を外し、ダンプトラック１を運転してダンピング場２から出す。
【００２８】
従って、この実施例のダンピング場２およびそこでのダンピング方法によれば、ダンピング時のスクラップＳの閉塞とそれに続く急滑落に起因するダンプトラック１の運転者の受傷およびダンプトラック１の損壊を確実にかつ安価に防止することができる。
【００２９】
図２（ａ）は、本発明の金属精錬炉用スクラップ置き場のダンピング場の他の一実施例およびそのダンピング場を用いた本発明の金属精錬炉用スクラップ置き場のダンピング場でのダンピング方法の他の一実施例を示す説明図、図１（ｂ）は、その図１（ａ）中の丸で囲んだＡ部を示す拡大説明図であり、図中先の実施例におけると同様の部分は、それと同一の符号にて示す。
【００３０】
すなわち、この実施例のダンピング場２は、ダンピング場２の地上に設ける係留具７として、留め金具８およびナイロンスリング９を使用する代わりに、金属製の起伏自在な引っ掛け治具を使用し、他の部分は先の実施例と同様の構成とする。この引っ掛け治具は、所定位置に停止したダンプトラック１の先端部に対応する地上位置に設けたピット内に固定されるブラケット１０と、先端部に図では紙面と直角方向へ水平に延在する棒状の掛合部１１を持つとともに基端部をブラケット１０に揺動可能に軸支された腕部材１２と、を有している。
【００３１】
係留具７はさらに、腕部材１２を起立位置へ向けて常時付勢するスプリングと、そのスプリングに抗して倒された腕部材１２をピット内に掛止する掛止部材とを有していても良く、このようにすれば、運転者はその掛止部材を解放操作することで、腕部材１２をスプリングにより起立位置へ揺動させて掛合部１１を容易にフック６に引っ掛けることができ、また腕部材１２をスプリングに抗して例えば足で踏み倒して掛止部材に掛止させることで、腕部材１２を容易にピット内に収納することができる。なお、ここでのフック６は、先の実施例における鋳造品に代えて、鋼板からなるものとしている。
【００３２】
そしてこの実施例のダンピング方法は、上記ダンピング場２の係留具７を用い、先の実施例と同様にしてダンプトラック１の前部を係留具７で地上に係留して、スクラップＳの滞留の発生の際のダンプトラック１の前部の持ち上がりを防止する。
【００３３】
従って、この実施例のダンピング場２およびそこでのダンピング方法によっても、ダンピング時のスクラップＳの閉塞とそれに続く急滑落に起因するダンプトラック１の運転者の受傷およびダンプトラック１の損壊を確実にかつ安価に防止することができる。
【００３４】
以上、図示例に基づき説明したが、この発明は上述の例に限定されるものでなく、特許請求の範囲の記載範囲内で適宜変更し得るものであり、例えば、金属精錬炉は転炉に限られない。またナイロン製のスリング９の代わりに他の材料からなるスリングを用いてもよい。さらに、腕部材１２をスプリングの代わりにモーター等で機械的に揺動させてもよい。
【産業上の利用可能性】
【００３５】
かくして本発明の金属精錬炉用スクラップ置き場のダンピング場およびそこでのダンピング方法によれば、ダンピング時のスクラップの閉塞とそれに続く急滑落に起因するダンプトラックの運転者の受傷およびダンプトラックの損壊を確実にかつ安価に防止することができる。
【符号の説明】
【００３６】
１  ダンプトラック
２  ダンピング場
２ａ  車止め
３  リフティングマグネット
４  天井クレーン
５  スクラップシュート
６  フック
７  係留具
８  留め金具
９  スリング
１０  ブラケット
１１  掛合部
１２  腕部材
【図１】
2013181237.tif 000003
【図２】
2013181237.tif 000004
【図３】
2013181237.tif 000005
【図４】
2013181237.tif 000006